(57)【特許請求の範囲】
【請求項１】
投影装置であって、
半導体レーザのマトリクスと、
前記投影装置によって照らされるエレメント上に前記マトリクスを結像する光学システムと、
前記半導体レーザを制御する制御装置と、を有し、
前記制御装置は、前記光学システムを介して照らされるエレメント上に各半導体レーザによって投影される光点の輝度を検出し、該検出した輝度を表す第１信号を生成する第１検出器を含むフィードバック装置、を有する投影装置において、
前記制御装置は、第１調整段階及び第２調整段階で、前記半導体レーザを一つ一つ制御するように構成され、
前記制御装置は、制御されるべき半導体レーザに関連して、前記第１調整段階において前記第１信号に基づいて前記光点の輝度を調整するよう構成され、
前記フィードバック装置は、前記第１調整段階において、前記制御されるべき半導体レーザから放出され、かつ前記光点から生じるものではない光を検出し、及び前記検出された光を表す第２信号を生成するよう構成され、
前記フィードバック装置は、前記第１調整段階において、前記制御されるべき半導体レーザに関連して前記光点の輝度の前記調整がなされることに応じて、該制御されるべき半導体レーザに関連して生成された前記第２信号を記憶するメモリを有し、
前記制御装置は、前記第２調整段階において、前記制御されるべき半導体レーザに関連して前記第２調整段階において生成される前記第２信号が、該制御されるべき半導体レーザに関連して前記第１調整段階においてメモリに記憶された前記第２信号に実質的に一致するように、前記制御されるべき半導体レーザに関連して生成される前記第２信号に基づいて、該制御されるべき半導体レーザを制御するように構成されていること、
を特徴とする投影装置。
【請求項２】
請求項１に記載の投影装置であって、
前記フィードバック装置は、前記制御されるべき半導体レーザから放出され、かつ前記光点から生じるものではない光を検出し、該検出された光を表す第２信号を生成する第２検出器を備えること、
を特徴とする投影装置。
【請求項３】
半導体レーザのマトリクスを備えた投影装置を調整する方法であって、
第１調整段階において、全ての半導体レーザが一つ一つ制御され、
前記第１調整段階において、半導体レーザが制御されるときはいつでも、前記制御されるべき半導体レーザから生じ、及び前記投影装置によって投影される光点の輝度が検出され、該検出された輝度を表す第１信号が生成され、
前記第１信号が、前記輝度を予め定められた値に調整するために使用され、
前記第１調整段階において、制御されるべき半導体レーザから放出され、かつ前記光点から生じるものではない光が検出され、
前記第１調整段階において、前記光点の輝度の前記調整がなされることに応じて、前記光点から生じたものではない前記検出された光を表す第２信号が決定され、
第２調整段階において、全ての半導体レーザが一つ一つ制御され、
前記第２調整段階において、前記制御されるべき半導体レーザから放出され、かつ前記光点から生じたものではない光が検出され、
前記第２調整段階において、前記第２調整段階において検出され、かつ前記光点から生じたものではない前記検出された光を表す第２信号が生成され、
前記第２調整段階において、前記制御されるべき半導体レーザに関連して前記第２調整段階において生成される前記第２信号が、前記制御されるべき半導体レーザに関連して前記第１調整段階において決定された前記第２信号に実質的に一致するように、前記制御されるべき半導体レーザが調整されること、
を特徴とする投影装置を調整する方法。
【請求項４】
請求項３に記載の方法であって、
前記投影装置それ自身が使用状態にないときに前記第１調整段階が行われ、
前記投影装置それ自身が使用状態にあるときに前記第２調整段階が行われること、
を特徴とする方法。
【請求項５】
請求項４に記載の方法であって、
前記投影装置それ自身を使用する前に前記第１調整段階が行われること、
を特徴とする方法。
【請求項６】
請求項４又は５に記載の方法であって、
前記半導体レーザのマトリクスの前記半導体レーザに画像信号が供給されない時すぐに、前記第２調整段階が行われること、
を特徴とする方法。
【発明の詳細な説明】
【技術分野】
【０００１】
本発明は投影装置に関するものであり、半導体レーザのマトリクス、投影装置により照らされるエレメント上に前記マトリクスを結像するための光学システム、前記半導体レーザを制御するための制御装置、を有し、前記制御装置は、前記光学システムを介して照らされるエレメント上に各半導体レーザにより投影される光点の輝度を検出し、検出した輝度を表す第１信号を生成するための第１検出器を含むフィードバック装置を有する。
【０００２】
本発明は、また、半導体レーザのマトリクスを備える投影装置を調整する方法に関する。
【背景技術】
【０００３】
かような装置及び方法は、米国特許明細書第５５２５８１０号により知られている。この特許は、バーコードをスキャンするために使用される投影装置を開示している。較正モードでは、一様なスクリーンが光路上に置かれる。半導体レーザは、一つずつ連続的に活性化され、各活性化された半導体レーザによって上記一様なスクリーン上に投影される光点の強度が検出器によって検出される。検出器により生成された信号は、処理され、半導体レーザのマトリクスのための電源の制御に使用される。開示された装置は、例えば、テレビ画像投影装置のような画像を投影するためには設計されておらず、適してもいない。
【０００４】
レーザによって、所与の電流において供給される光の量は、温度と使用期間とに大幅に依存するため、画像投影に使用される半導体レーザは、その光出力に関して安定化されるべきである。十分な大きさを有する多くの半導体レーザでは、安定化は、レーザチップの後側に組み込まれた、レーザの光出力を計測することができるモニタ・ダイオードによって行わる。レーザ側の光の出力とモニタ・ダイオード側となる後側の光出力との比は一定なので、そのような計測は放出された光の量に支障をきたさないし、信頼性がある。その結果、後側で計測された輝度は、前側の光出力安定化のために適切に使用することができる。
【０００５】
画像投影に適している半導体レーザのマトリクスは、５０のμｍのオーダのピッチを有する。このようなマトリクスの半導体レーザから出てゆくビームの開口角は非常に広いので、ビームは０．２５ｍｍの範囲内で重なり合う。現実には、このような半導体レーザのマトリクスの全てのレーザに、一つの半導体レーザのみから光を受けるように十分小さくかつ適切に配置されたモニタ・ダイオードを設けることは、著しく困難である。
【０００６】
このような半導体レーザの使用期間依存は、短期間では、如何なる変化も示さない。
【発明の開示】
【発明が解決しようとする課題】
【０００７】
半導体レーザのマトリクスにおける半導体レーザが、十分な程度にまで個々に安定化され得る、導入部で開示したような投影装置を提供することが、本発明の目的である。
【課題を解決するための手段】
【０００８】
本発明によれば、この目的は、前記制御装置が第１調整段階及び第２調整段階で前記半導体レーザを一つ一つ制御するように調整され、前記制御装置が制御されるべき半導体レーザに関連する前記第１調整段階において前記第１信号に基づいて前記光点の輝度を調整するよう適合され、前記フィードバック装置が第１調整段階において制御されるべき半導体レーザから放出され、かつ前記光点から生じるものではない光を検出し、及び前記検出された光を表す第２信号を生成するよう適合され、前記フィードバック装置が第１調整段階において前記制御されるべき半導体レーザに関連して生成された前記第２信号を記憶するメモリを有し前記制御装置が第２調整段階において前記制御されるべき半導体レーザに関連して生成された第２信号に基づいて前記制御されるべき半導体レーザを制御するよう適合されることにより、前記制御されるべき半導体レーザに関連して前記第２調整段階において生成された第２信号が、実質的に、前記制御対象となる半導体レーザに関連する第１調整段階においてメモリに記憶された前記第２信号に一致する、という投影装置で、達成される。
【０００９】
本発明に従う方法は、第１調整段階において全ての半導体レーザが一つ一つ制御され、前記第１調整段階において半導体レーザが制御されるときはいつでも前記制御されるべき半導体レーザから生じ及び前記投影装置によって投影される光点の輝度が検出され、前記検出された輝度が前記輝度を予め定められた値に調整するために使用され、前記第１調整段階において制御されるべき半導体レーザから放出されかつ前記光点から生じるものではない光が検出され、前記第１調整段階において前記光点から生じたものではない前記検出された光を表す第１信号が決定され、第２調整段階において全ての半導体レーザが一つ一つ制御され、前記第２調整段階において前記制御されるべき半導体レーザから放出されかつ前記光点から生じたものではない光が検出され、前記第２調整段階において前記第２調整段階において検出されかつ前記光点から生じたものではない光を表す第２信号が生成され、前記第２調整段階において前記第２信号が前記制御されるべき半導体レーザと関連する前記第１調整段階において決定された前記第１信号と実質的に固定的な関係になるという態様で前記制御されるべき半導体レーザが調整されること、を特徴とする。
【００１０】
従って、前記第１の調整段階において、メモリ装置が、あらゆる制御されるべき半導体レーザから生じる光の量についてのデータで満たされ、かつ第２検出器に届く、ということが達成される。前記第２検出器は、該制御されるべき半導体レーザと光点との間の光路上には置かれない。それにもかかわらず、調整される光点の輝度の値と、前記メモリに記憶されかつ前記第２検出器により生成された信号の値と関係は、固定された関係となる。結果として、前記第２検出器によって生成される信号は安定化のために使用できる。したがって、安定化のために前記光点の検出をすることは、前記メモリへの前記第２検出器の信号の保管後では、もはや必要ではなく、記憶された前記第２検出器の信号の値を取り扱うことが可能となる、ということが達成される。
【００１１】
本方法の好適な実施例は、前記投影装置それ自身が使用状態にないときに前記第１調整段階が行われ、前記投影装置それ自身が使用状態にあるときに前記第２調整段階が行われること、を特徴とする。
【００１２】
したがって、画像の照度は、前記光点の輝度の表現として、前記投影装置をセットアップする第１調整段階で一度調整され、全ての半導体レーザに対して等しくされ、それ以降、投影の間、前記装置は、前記メモリに記憶された、各半導体レーザの前記第２検出器の信号の値を利用し、かつ利用しつづけることができる。
【００１３】
これら及び本発明の異なる視点は、以降に開示される実施例から明らかにされ、及び以降に開示される実施例を参照して解明されるであろう。
【発明を実施するための最良の形態】
【００１４】
図１において、参照符号１は半導体レーザの１次元マトリクスを示す。該半導体レーザは、紙面に対して垂直に並列させられている。このようなマトリクス自体は既知である。この半導体レーザのマトリクス１は、図式的に示された光学システム２によってエレメント３に投影させられる。エレメント３は不透明でも半透明でもよい。もし、エレメント３が不透明であれば、投影された画像は、画像が投影されている方向と同一の方向から眺められる。これは目４によって示されている。もしエレメント３が半透明であれば、投影された画像は、目５によって図式的に示されているように、他の側から眺められ得る。２次元の画像を投影するために、図式的に示される装置６が設けられている。この装置は、エレメント３上にある半導体レーザによるマトリクス１の画像を、矢印７の方向又はその反対方向に移動させる。装置６は、往復する又は回転する鏡の装置によって既知の方法で構成される。
【００１５】
エレメント３上に投影される画像として許容できる画像を得るために、マトリクス１の各半導体レーザは、これら半導体レーザによって光学システム２を介してエレメント３上に投影される光点に関して、同一の入力信号に対しては同一の輝度を持つべきである。
【００１６】
半導体レーザが、半導体レーザの温度と半導体レーザの経過した使用時間とに大きく依存する光出力を有していることは既知である。
【００１７】
マトリクス１に関する半導体レーザは、非常に小さい寸法を有している。例えば、そのピッチは、しばしば、たった数十μｍ、例えば５０μｍとなる。その結果、半導体レーザのマトリクス１の熱許容量は小さくなり、光出力の変化に起因する温度変動は相対的に大きく、かつ速くなる。マトリクス１全体から安定した光出力を得るためには、所定の光出力が所定の画像信号の値に一致するように、又はその逆となるように、各半導体レーザに関する二つの連続した調整の間の期間を、1〜数秒間、好ましくはそれ以下、に制限することが勧められる。
【００１８】
半導体レーザの光出力を安定化する既知の解決手段は、半導体レーザの後側に配置され、前側の半導体レーザから放出される光の量に直接比例する該半導体レーザからの一定量の光を受け取るフォトダイオードを使用することである。後側に配置されたフォトダイオードによって受け取られた光の量と、前側の半導体レーザから放出された光の量との関係は不変で、かつ温度と使用期間とからは独立である。しかしながら、図１に示されたような投影装置においては、半導体レーザのマトリクス１は、かように小さい寸法なので、各半導体レーザに追加のフォトダイオードを配置することは不可能であるか、又は非常に困難である。
【００１９】
図１の装置は、半導体レーザのマトリクス１の前記半導体レーザに対して行われる、繰り返される再調整のために設計された。半導体レーザのマトリクス１はライン８を介して制御装置９によって制御される。制御装置９は、ライン１１が接続されている入力部１０を有しており、ライン１１を通って、前記投影装置によって表示されるべき画像の画像信号が制御装置９に供給される。ライン１２を介して、制御装置９は装置６に接続されている。一つ又はそれ以上の光感知センサ１３及び１４を有した第１検出器は、エレメント３の片面又は両面に配置されればよい。もし前記投影装置が不透明なエレメント３に画像を投影する場合、一つ又はそれ以上の光感知センサは、センサ１３の位置のような、半導体レーザのマトリクス１の投影が検出され得る位置に置かれる。もしエレメント３が半透明のものである場合、一つ又はそれ以上の光感知センサ１３及び１４の出力部は、エレメント３の片側又は両側に配置されても良い。光感知センサ１３及び１４は、ライン１５を介してスイッチ１７の接続部１６に接続される。前記半導体レーザのマトリクス１から直接的に又は間接的に生じる光は前記第２検出器１８に届くが、エレメント３から生じる光は届かない、という態様で、第２の光感知センサ１８は配置される。第２検出器１８は、また、一つ又はそれ以上の光感知センサを有してもよい。前記第２検出器１８の出力部は、ライン１９を介してスイッチ２１の接続部２０に接続される。スイッチ２１の接続部２０はスイッチ２１の接続部２２又は接続部２３に接続され得る。接続部２３はライン２４を介してスイッチ１７の接続部２５に接続される。スイッチ１７の接続部２６は制御装置９の入力部２７に接続される。スイッチ２１の接続部２２はライン２８を介してメモリ２９の入力部に接続される。メモリ２９の出力部はライン３０を介してスイッチ３２の接続部３１に接続される。スイッチ３２の接続部３３は制御装置９の入力部３４に接続される。制御装置９の出力部３５はライン３６を経由してメモリ２９のアドレス入力部に接続される。
【００２０】
必須ではないが、できれば調整可能な基準信号生成器３７が、ライン３８を介してスイッチ３２の接続部３９に接続される方が良い。
【００２１】
前述したように、半導体レーザのマトリクス１は、一つ又はそれ以上の半導体レーザに対する画像信号の等しい値において、当該半導体レーザによってエレメント３上に投影された光点が同一の輝度を有する、ということを保証するために、時折再調整されるべきである。画像信号がない場合にはいつも、適切な調整が行われるべきであるということが重要である。
【００２２】
この目的を達成するために、図１に示された前記装置は以下のように動作する。前記投影装置を、画像を投影するための使用状態に置く前に、前記制御装置は第１調整段階で調整される。前記第１調整段階で、スイッチ１７，２１及び３２は図１の実線で示された状態に置かれる。
【００２３】
スイッチが実線で示された状態に置かれるとき、光感知センサ１３及び１４を有する前記第１検出器は、ライン１５、接続部１６、スイッチ１７及び接続部２６を介して制御装置９の入力部２７に接続される。例えば調整可能な電圧生成器のような基準信号生成器３７は、ライン３８、接続部３９、スイッチ３２及び接続部３３を介して制御装置９の入力部３４に接続される。第２検出器１８は、ライン１９、接続部２０、スイッチ２１、接続部２２及びライン２８を介してメモリ２９の入力部に接続される。メモリ２９の出力部は制御装置９に接続されていない。
【００２４】
上記回路装置は以下のように動作する。制御装置９は、ライン８経由の、予め定められた、しかし後には任意の制御信号で、前記半導体レーザのマトリクス１の一つの半導体レーザを制御する。装置６は、光学システム２を介してエレメント３上に光点を生じさせる前記制御されるべき半導体レーザからの光の中に配置され、又はそのような状態に置かれる。従って、エレメント３上に投影される光点の輝度は、前記第１検出器のセンサ１３及び１４によって検出され、制御装置９の入力部２７に渡される。基準信号は制御装置９の入力部３４に存在する。制御装置９は、入力部２７の信号と入力部３４の前記基準信号とを比較するよう適応される。入力部２７及び３４における信号の間の差に基づいて、ライン８上の制御信号は、制御装置９により、エレメント３上の光点の輝度が、入力部２７における信号が入力部３４における基準信号に等しくなるか、又は該基準信号と他の所定の固定した関係となるようなセンサ１３及び１４により出力される信号を生じるように調整される。入力部２７及び３４における前記信号が等しくなった後で、制御装置９は、出力部３５及びライン３６に、メモリ２９のアドレスを指示し、メモリ２９に、ライン２８上の信号値を、ライン３６上のアドレスを有する記憶位置に記憶させる起因となる信号を生成する。ライン３６上のアドレスは、制御装置９によって当該瞬時に制御されたマトリクス１の前記半導体レーザに、単一に明確に、結び付けられる。
【００２５】
第２検出器１８からの前記出力信号はライン２８上に存在する。第２検出器からの前記出力信号は第２検出器１８によって検出された光の大きさであって、その光は、前記制御されるべき半導体レーザから放出され、かつエレメント３上の光点から生じるものではない。エレメント３上の前記光点の輝度は、センサ１３及び１４によって構成される前記第１検出器を経由して制御装置９に供給される投影された該光点の輝度のフィードバックと、基準信号との比較とによって、調整される。更に、該輝度と、直接的に単一の明確な関連にあり、かつ第２検出器１８によって検出される光の量は、メモリ２９の特定の記憶位置に固定される。該記憶位置は、当該瞬時に制御装置９によって制御されて、エレメント３上に投影される前記光点及び第２検出器１８の両者に光を供給するマトリクス１の前記半導体レーザと、単一の明確な関係を有する。この結果として、信号はメモリ２９内の前記記憶位置に格納され、その信号は、光学システム２を介して、エレメント３上に該制御されるべき半導体レーザによって投影される光点の望まれた輝度と、単一の明確な関係となる。
【００２６】
したがって、計測信号を供給する第２検出器１８、基準信号を供給するメモリ２９、を有するフィードバック装置を使用することが可能となる。前記フィードバック装置及び制御装置９により制御される前記制御されるべき半導体レーザで構成されたフィードバック・ループによって、該制御されるべき半導体レーザから放出される前記光の量は、前記第２検出器１８が、前記第１調整段階における調整において検出したのと同一の光の量又は当該光の量と固定的な関係となる光の量を検出するようなレベルに、安定化される。フィードバック・ループが、第２検出器１８、メモリ２９、制御装置９、該制御されるべき半導体レーザによって構成される段階は、前記第２調整段階として、以下に述べられるだろう。
【００２７】
前記第１調整段階で、どのように、メモリ２９の特定のアドレス可能なメモリ領域が、マトリクス１の前記半導体レーザの一つについて準備されるかについて説明し、また、前記第２の段階において、該メモリ領域に記憶された信号が基準信号として使用されることを説明した。このように説明された前記第１調整段階は、制御装置９を介して各半導体レーザを一つ一つ制御し、センサ１３、１４を有する前記第１検出手段及び基準信号装置３７によって、該レーザを、該制御された半導体レーザによってエレメント３上に投影される光点と同一の輝度となるように調整することにより、マトリクス１の全ての半導体レーザについて連続的に実行される。前記光点が前記輝度に達するとすぐに、第２検出器１８によって生成され、かつ第２検出器１８によって検出された光の量を表す信号が、メモリ２９に格納され、ライン３６を介してアドレスされる。
【００２８】
第２検出器１８の出力信号の値は、メモリ２９内の、マトリクス１の半導体レーザの数に一致する複数のアドレス可能なメモリ位置に記憶され、各メモリ位置は、前記半導体レーザの一つと単一の明確な関連にあり、前記メモリの値は、フィードバック・ループにおいて基準値として使用されることができる。詳細に上述したように、フィードバック・ループがメモリ２９に記憶された値を使用するする段階は、第２調整段階と言われるだろう。
【００２９】
前記第２調整段階では、スイッチ１７，２１及び３２は破線によって示されている状態になる。前記第２調整段階では、マトリクス１の前記半導体レーザが安定化されなければならないときはいつでも、マトリクス１の前記半導体レーザは制御装置９によって一つずつ制御され、及び該制御されるべき半導体レーザから放射される光の量は、とりわけ第２検出器１８と当該制御されるべき半導体レーザに一致するメモリ２９内の記憶位置とを有するフィードバック・ループによる制御装置９によって、制御される。
【００３０】
前記第２調整段階におけるマトリクス１の前記半導体レーザの調整中に、前記制御されるべき半導体レーザからの光が、投影されるべき画像の外側でエレメント３へ到達するのを防止するために、異なる対策を採用し得る。もし装置６が往復する又は回転する鏡である場合、前記装置６の「帰線時間」の最中は、画像信号が存在しないだろう。このような場合、半導体レーザのマトリクス１の前記半導体レーザに対して画像信号が供給されない時すぐに、制御装置９は、前記第２調整段階における調整に実行することを生じさせるだろう。制御されるべき半導体レーザから放射される前記光線は、スクリーン３には届かないか又は装置６を介して投影されるべき画像の外側でスクリーン３に届くかのいずれかである。もし後者の結果が問題になると考えられるならば、スクリーン３は、元の状態ブラックか又はとても暗いいずれかの状態にされるべき、若しくは前記光がスクリーン３へ到達することを防止するために、シャッターが光路の中に設置されるべきである。
【００３１】
その結果、前記制御されるべき半導体レーザから放出される前記光がエレメント３に届かないにも関わらず、前記半導体レーザは、特に第２検出器１８及びメモリ２９によって構成されるフィードバック・ループの補助をともなって機能でき、該制御されるべき半導体レーザが安定化されるということを保証できる、ということが成し遂げられる。この可能性により、検出器は、装置６の位置を検出することができ、該位置をライン１２を介して制御装置９に伝えることができる。装置６は、また、マトリクス１の前記半導体レーザから放射される光が、装置６を介して投影されるべき画像内に来られず、ライン１２を介して制御装置９から装置６に渡される装置６のための制御信号から導出され得る時すぐに、ライン１２を介して制御装置９によって制御される。
【００３２】
装置６は、代替として、ライン１２を介して制御装置９から電気的に制御され得る光シャッターでも良い。電気的に制御可能な光シャッターそれ自体は既知であり、また本発明の1部ではないので、該シャッターは、これ以上の詳細な説明は行われない。
【００３３】
図２は、マトリクス１の半導体レーザから来る光が、第２検出器１８によって検出され得ることを保証する構成を示している。図２では、マトリクス１は、再び紙面に対して垂直に伸びている。図２では、参照符号４０及び４１は、半導体レーザから生じ、かつ光学システム２を通過する光線の境界を示している。参照符号４２によって図式的に示された絞りは、マトリクス１と光学システム２との間に配置される。絞り４２のマトリクス１に対抗している側面は、マトリクス１の半導体レーザから来る入射光を、またもや紙面に対して垂直に伸びている二つの光検出器１８ａ及び１８ｂの方向に反射するために、多少、広く反射している。光検出器１８ａ及び１８ｂの前記出力信号は、ライン４３及び４４を介してライン２９上で信号に合成される。
【００３４】
図３及び図４は、第２検出器１８の異なる実施例を示しており、参照符号１８ｃで表されている。装置１８ｃは、細長くされた、透過性を有し、かつ実質的に円筒形のエレメント４５を有している。エレメント４５は、最大の光のコンダクタンスを得るように、その外側が研磨されていることが好ましい。エレメント４５の外周の一部は、光反射物質４６が提供されている。エレメント４５は湾曲した外周であってもよいし、又は図３に示したような平面を有していても良い。二つの検出器１８ｄ及び１８ｃは、円筒形のエレメント４５の両端部に配置されている。検出器１８ｄ及び１８ｃの前記出力信号は、ライン４７及び４８を介してライン２９に供給される。
【００３５】
前述のように、スイッチ１７，２１及び３２、参照信号生成器３７及びメモリ２９と制御装置９との間に存在するラインはもちろん、それらエレメント自身も別々のエレメントとして説明されている。前記エレメントは、代替的に、制御装置９に集積されても良いということ、及び制御装置９と集積されたエレメントとが一緒になって集積回路の一部を形成するということもまた、いわゆる当業者にとって明白であろう。また、前記エレメントが制御装置の中で機能的に存在し、上述した前記第１及び前記第２調整段階のための該機能及びコヒーレント・フィードバック・ループが、代替的に、前記制御装置の中に、上述した機能を連続的に実行するプログラムが備えられたプログラマブル・デバイスによって、実施され得るということもまた、当業者にとって明白であろう。
【００３６】
基準信号装置３７は、一つ又はそれ以上の基準信号を調整するために調整可能であっても良いということにも留意されたい。その結果、エレメント３上に、前記半導体レーザによって投影されるの光点の輝度の変更が、基準信号装置３７によって供給される前記基準信号を変更することによって達成でき得る、ということが実現される。結果として、メモリ２９に記憶された前記値もまた変更され、最終的には、投影要求のために前記装置の使用中に投影される画像の輝度は、基準信号装置３７によって供給される、選択され調整された前記基準信号の値に依存するだろう。
【００３７】
本発明の多くの変更及び代替の実施例は、当業者によって想像され得る。これらの変更及び修正の全ては、本発明の範囲内に収まると考えられる。
【図面の簡単な説明】
【００３８】
【図１】図１は、本発明による投影装置を、図式的に示したものである。
【図２】図２は、第２検出器の第１の実施例を示したものである。
【図３】図３は、第２検出器の第２の実施例を示したものである。
【図４】図４は、図３の第２検出器の側面図である。
【図１】
0004528487.tif 000002
【図２】
0004528487.tif 000003
【図３】
0004528487.tif 000004
【図４】
0004528487.tif 000005